(57)【特許請求の範囲】
【請求項１】
排水を受入れて処理する処理槽と、エアーを吐出する複数のブロワ機構部と、これら複数のブロワ機構部と前記処理槽とを接続する複数のエアー供給径路と、前記複数のエアー供給径路を切り換える切換手段と、この切換手段を制御する制御手段とを有する排水処理装置であって、
前記制御手段は、前記切換手段を、第１のブロワ機構部から吐出されるエアーが第１のエアー供給径路を通じて前記処理槽へ供給される一方、第２のブロワ機構部から吐出されるエアーが第２のエアー供給径路を通じて前記処理槽へ供給される第１の運転モードと、前記第１および第２のブロワ機構部から吐出されるエアーが前記第１および第２のエアー供給径路とは異なる第３のエアー供給径路を通じて前記処理槽へ供給される第２の運転モードとに設定するように構成されており、
前記処理槽は、微生物を用いた排水処理を行う生物処理領域と、この生物処理領域へ散気エアーを供給する散気装置と、前記生物処理領域へ逆洗エアーを供給する逆洗装置と、前記生物処理領域よりも上流側に配され処理水を上流から下流に向けて移送する移送用エアリフトと、前記生物処理領域で処理された処理水を該生物処理領域よりも上流へ移送する汚泥移送用エアリフトとを有し、
前記第１のエアー供給径路に前記散気装置が接続され、前記第２のエアー供給路に前記移送用エアリフトが接続され、前記第３のエアー供給径路に前記逆洗装置及び前記汚泥移送用エアリフトが接続されるように構成されていることを特徴とする排水処理装置。
【請求項２】
排水を受入れて処理し、微生物を用いた排水処理を行う生物処理領域を有する処理槽と、エアーを吐出する複数のブロワ機構部と、これら複数のブロワ機構部と前記処理槽とを接続する複数のエアー供給径路とを有する排水処理装置において、前記複数のブロワ機構部から吐出されるエアーを前記複数のエアー供給径路を通じて前記処理槽へ供給するエアー供給方法であって、
第１の運転モードにおいて、第１のブロワ機構部から吐出されるエアーを、散気装置が接続された第１のエアー供給径路を通じて前記処理槽へ供給する一方、第２のブロワ機構部から吐出されるエアーを、前記生物処理領域よりも上流側に配され処理水を上流から下流に向けて移送する移送用エアリフトが接続された第２のエアー供給径路を通じて前記処理槽へ供給し、
第２の運転モードにおいて、前記第１および第２のブロワ機構部から吐出されるエアーを前記第１および第２のエアー供給径路とは異なる、逆洗装置及び前記生物処理領域で処理された処理水を該生物処理領域よりも上流側へ移送する汚泥移送用エアリフトとが接続された第３のエアー供給径路を通じて前記処理槽へ供給することを特徴とするエアー供給方法。
【発明の詳細な説明】
【０００１】
【発明の属する技術分野】
本発明は、処理槽に排水を受入れて処理する排水処理装置に係り、詳しくはブロワ機構部から吐出されるエアーを処理槽へ合理的に供給するエアー供給技術に関する。
【０００２】
【従来の技術】
従来、家庭等から排出される排水を受入れて処理し、浄化水として排出する排水処理槽（浄化槽）が知られている。例えば特開２０００−１８９９８６号公報に、この種の排水処理槽が開示されている。この公報に記載の排水処理槽は、エアーを吐出する２つの送気部を有し、これら送気部から吐出されたエアーは所定の供給径路を介して排水処理槽へ供給されるようになっている。
具体的には、図５に示すように、第１送気部３１０および第２送気部３２０の吐出側に形成された合流配管３３０は、切換弁３４０を介して第１のエアー供給径路４１０および第２のエアー供給径路４２０に接続されている。通常運転時には、第１送気部３１０のみが運転され、この第１送気部３１０から吐出された吐出エアーは、切換弁３４０の切り換えによって第１のエアー供給径路４１０へ送気される。第１のエアー供給径路４１０へ送気されたエアーは、排水処理槽の曝気用散気部へ供給されるようになっている。一方、逆洗運転時には、両送気部３１０，３２０が運転され、これら両送気部３１０，３２０から吐出された吐出エアーは、切換弁３４０の切り換えによって第２のエアー供給径路４２０へ送気される。第２のエアー供給径路４２０へ送気されされたエアーは、排水処理槽の逆洗用散気部へ供給されるようになっている。
このように、上記従来の構成の排水処理槽は、逆洗運転のように一時的に多くのエアー供給量が必要となる場合に、送気部３１０，３２０のような低風量のブロワを組み合わせることで対応することができるという点において有効である。
【０００３】
【発明が解決しようとする課題】
ところで、このような構成の排水処理槽において、通常運転におけるエアーの供給先を増やしたいという要請がある。このような要請に対し次のような対応が考えられよう。例えば、第１のエアー供給径路４１０を複数に分岐させたうえで、第１送気部３１０にかえて風量の大きい送気部を用意する対応や、エアー供給径路４１０，４２０とは別の径路でエアーを送気する送気部を、送気部３１０，３２０とは別に新たに追加する対応等がある。しかしながら、第１のエアー供給径路４１０を複数に分岐させる場合は、各分岐先へ供給するエアーの流量バランスをバルブ開度の調節等によって行うこととなり、その流量バランスを好適に設定するのが難しい。そのうえ、送気部の風量の変更が必要となる。一方、送気部３１０，３２０とは別の送気部を用いる場合は、送気部およびエアー供給径路を新たに追加することとなり、イニシャルコストが増大する。このように、上記従来の構成の排水処理槽を用いた対応は、運転面やコスト面における種々の問題を抱えている。
【０００４】
そこで、本発明は以上の点に鑑みてなされたものであり、排水を受入れて処理する排水処理装置において、複数のブロワ機構部から吐出されるエアーを処理槽へ合理的に供給するのに有効なエアー供給技術を提供することを課題とする。
【０００５】
【課題を解決するための手段】
前記課題を解決するために、本発明の排水処理装置は請求項１，２に記載の通りに構成される。また、本発明の排水処理装置におけるエアー供給方法は請求項３に記載の通りである。なお、これら各請求項に係る発明は、第１のブロワ機構部から吐出されるエアーを第１のエアー供給径路を通じて処理槽へ供給し、第２のブロワ機構部から吐出されるエアーを第２のエアー供給径路を通じて処理槽へ供給する第１の運転モードと、第１および第２のブロワ機構部から吐出されるエアーを第１および第２のエアー供給径路とは異なる第３のエアー供給径路を通じて処理槽へ供給する第２の運転モードを設定することで、複数のブロワ機構部から吐出されるエアーを処理槽へ合理的に供給することができるようにした技術である。
【０００６】
請求項１に記載の排水処理装置は、処理槽、複数のブロワ機構部、複数のエアー供給径路、切換手段、制御手段等を有する。処理槽は、槽内において排水の所定の処理を行うものであり、１または複数の処理槽によって排水処理装置を構成する。ブロワ機構部は、エアーを吐出して送気するブロワをはじめ、各種の送気機器を用いた構成を有する。エアー供給径路は、ブロワ機構部と処理槽とを接続するものであり、例えば配管状の部材を用いて構成される。切換手段は、複数のエアー供給径路を切り換えるものであり、例えば、ブロワ機構部とエアー供給径路との間に介在する切換弁を用いて構成される。この切換手段としては、電磁式、エアー駆動式等各種の形式の切換弁を用いることができる。制御手段は、切換手段によるエアー供給径路の切り換えを制御するものであり、切換手段に対し制御信号を出力する構成を有する。
本発明では、少なくとも第１の運転モードと第２の運転モードとを実現するべく、切換手段が制御手段によって制御される。切換手段として、例えば複数の切換弁を用いる場合、各切換弁の制御を１つの制御部によって一括して行う態様、、各切換弁に対応して設置された個別の制御部によって各々行う態様等がある。第１の運転モードでは、第１のブロワ機構部から吐出されるエアーが第１のエアー供給径路を通じて処理槽へ供給される。一方、第２のブロワ機構部から吐出されるエアーが第２のエアー供給径路を通じて処理槽へ供給される。すなわち、第１の運転モードでは、少なくとも２つのブロワが各々独立したエアー供給径路で処理槽へエアーを供給する。第２の運転モードでは、第１および第２のブロワ機構部から吐出されるエアーが、第１および第２のエアー供給径路とは異なる第３のエアー供給径路を通じて前記処理槽へ供給される。すなわち、第１および第２のブロワ機構部から吐出されるエアーが合流した高風量のエアーが第３のエアー供給径路へ送気される。
このような構成によれば、少なくとも２つのブロワ機構部が、少なくとも３種類のエアー供給径路を通じて処理槽と接続された排水処理槽において、低容量のエアーを複数のエアー供給径路へ供給する運転と、一時的に高容量のエアーを所定のエアー供給径路へ供給する運転を行う場合、ブロワ機構部の数を必要以上に増やしたり、ブロワ機構部の風量を必要以上に増やすことなく、必要最小限度のブロワ機構部を有効に使用することができる。これにより、排水処理装置のイニシャルコストが増大するのを極力回避することができる。
【０００７】
この排水処理装置は、処理槽に生物処理領域、散気装置、逆洗装置、生物処理領域よりも上流側に配され処理水を上流から下流に向けて移送する移送用エアリフト、生物処理領域で処理された処理水を該生物処理領域よりも上流へ移送する汚泥移送用エアリフトを有する。生物処理領域は、微生物を用いた排水処理を行う領域であり、例えば好気性微生物が担体に着床した領域をいう。この好気性微生物によって排水中の有機汚濁物質が好気処理（酸化）される。散気装置は、生物処理領域へ散気エアーを供給するものであり、逆洗装置は、生物処理領域へ逆洗エアーを供給するものである。これら散気装置および逆洗装置は、いずれも例えば複数の孔を有する散気管を用いて構成される。ここでいう「散気エアー」とは、通常運転時に生物処理領域の微生物に付与され実質的に微生物の働きに寄与するものあり、「逆洗エアー」とは、通常運転とは別の逆洗運転時に生物処理領域で生成した浮遊固形物等を除去するために用いるものである。従って、逆洗装置は、散気装置よりも高風量のエアーを供給する構成が好ましく、本発明では、第１のエアー供給径路に散気装置を接続し、第２のエアー供給路に移送用エアリフトを接続し、第３のエアー供給径路に逆洗装置と汚泥移送用エアリフトとを接続した構成としている。通常運転（第１の運転モード）では、第１のブロワ機構部から吐出されたエアーは、第１のエアー供給径路を通じて散気装置へ供給される。このとき、第２のブロワ機構部から吐出されたエアーは、第２のエアー供給径路を通じて、処理水を移送するのに用いる手段としての移送用エアリフトへ駆動用として供給される。逆洗運転（第２の運転モード）では、第１および第２のブロワ機構部から吐出されたエアーは、第３のエアー供給径路を通じて逆洗装置と汚泥移送用エアリフトとへ供給される。このような構成によれば、処理槽に生物処理領域を有する排水処理装置において、複数のブロワ機構部から吐出されるエアーを処理槽へ合理的に供給するのに特に有効である。
【０００８】
請求項２に記載のエアー供給方法では、第１の運転モードにおいて、第１のブロワ機構部から吐出されるエアーを、散気装置が接続された第１のエアー供給径路を通じて処理槽へ供給する。一方、第２のブロワ機構部から吐出されるエアーを、生物処理領域よりも上流側に配され処理水を上流から下流に向けて移送する移送用エアリフトが接続された第２のエアー供給径路を通じて処理槽へ供給する。第２の運転モードにおいて、第１および第２のブロワ機構部から吐出されるエアーを第１および第２のエアー供給径路とは異なる、逆洗装置及び生物処理領域で処理された処理水を該生物処理領域よりも上流側へ移送する汚泥移送用エアリフトとが接続された第３のエアー供給径路を通じて処理槽へ供給する。第１の運転モードと、第２の運転モードの切り換えは、ブロワ機構部の吐出側に設置する切換弁を用いて行う。これにより、低容量のエアーを複数のエアー供給径路へ供給する運転と、一時的に高容量のエアーを所定のエアー供給径路へ供給する運転を行う場合、必要最小限度のブロワ機構部を有効に使用することができる。
【０００９】
【発明の実施の形態】
以下に、本発明の排水処理装置の一実施の形態を図面に基づいて説明する。ここで、図１は本発明の排水処理装置の一実施の形態である排水処理槽１００の構成を示す図である。図２は図１中の第１ブロワ２３１および第２ブロワ２３２から供給されるエアーの供給径路を示す図である。図３は担体流動生物濾過槽１４０の通常運転時の状態を示す図であり、図４は担体流動生物濾過槽１４０の逆洗運転時の状態を示す図である。
【００１０】
図１に示すように、本発明における排水処理装置としての排水処理槽１００では、槽本体１１０に流入管１１１および放流管１１２が接続されている。例えば一般家庭から排出された家庭用排水は流入管１１１を介して槽本体１１０内へ受入れられ、槽本体１１０内で連続的に浄化処理され、浄化処理された後の処理水は放流管１１２を介して放流される構成を有する。なお、本実施の形態では、排水処理槽１００において所定の処理がなされる前の実質的な被処理水、所定の処理がなされた後の実質的な処理水を、単に「処理水」というものとする。
【００１１】
排水処理槽１００は、処理行程の順に対応して、槽本体１１０の上流（図１中の左側）から順に第１嫌気濾床槽１２０、第２嫌気濾床槽１３０、担体流動生物濾過槽１４０、処理水槽１５０、消毒槽１６０を備えている。
第１嫌気濾床槽１２０と第２嫌気濾床槽１３０との間には、これら両槽を区画する区画部材１１３，１１４が設けられている。流入管１１１から受入れた排水は、まず第１嫌気濾床槽１２０で処理され、次いで第１嫌気濾床槽１２０から区画部材１１４を越えて第２嫌気濾床槽１３０へ移流するようになっている。
【００１２】
第２嫌気濾床槽１３０と担体流動生物濾過槽１４０との間には、これら両槽を区画する区画部材１１５，１１６，１１７が設けられている。第２嫌気濾床槽１３０で処理され区画部材１１６を越えて移流した処理水は、後述する移送用エアリフト１７０を介して担体流動生物濾過槽１４０へ移送されるようになっている。区画部材１１７の上縁部には上向きコ字形状の戻し堰１１７ａが設けられており、この戻し堰１１７ａは担体流動生物濾過槽１４０の水位が所定レベルを超えると処理水を第２嫌気濾床槽１３０へ戻す構成になっている。
【００１３】
担体流動生物濾過槽１４０と処理水槽１５０との間には、これら両槽を区画する区画部材１１８が設けられている。担体流動生物濾過槽１４０で処理された処理水は、区画部材１１８の下方を通って処理水槽１５０へ移流するようになっている。
【００１４】
処理水槽１５０と消毒槽１６０との間には、これら両槽を区画する区画部材１１９が設けられている。区画部材１１９の上縁部には上向きＶ字形状の越流堰１１９ａが設けられており、この越流堰１１９ａの上下方向の高さは変更可能に構成されている。処理水槽１５０に貯留された処理水は、いわゆる押し出し流れの原理によって越流堰１１９ａを越えて消毒槽１６０へ移流するようになっている。また、消毒槽１６０へ流入した処理水は、その後、放流管１１２から系外へ放流される。
【００１５】
次に、排水処理槽１００の各槽の構成を詳細に説明する。
まず、第１嫌気濾床槽１２０および第２嫌気濾床槽１３０には、各々濾床１２２および濾床１３２が形成されている。濾床１２２には所定量の濾材Ｃ１が充填され、濾床１３２には所定量の濾材Ｃ２が充填されている。これら濾材Ｃ１，Ｃ２には、処理水中の有機汚濁物質を嫌気分解（還元）する嫌気性微生物が着床されている。嫌気濾床槽１２０において、処理水中の有機汚濁物質は、濾床１２２を図１中の矢印方向へ降流する際に、この濾床１２２中の嫌気性微生物によって嫌気処理される。同様に、嫌気濾床槽１３０において、処理水中の有機汚濁物質は、濾床１３２を図１中の矢印方向へ降流する際に、この濾床１３２中の嫌気性微生物によって嫌気処理される。
【００１６】
移送用エアリフト１７０は、第２嫌気濾床槽１３０から担体流動生物濾過槽１４０へ処理水を移送するためのものである。この移送用エアリフト１７０は、垂直方向へ延びる吸入管１７１、この吸入管１７１の上部から担体流動生物濾過槽１４０の方向へ延びる吐出管１７２等によって構成されている。吸入管１７１には、第２のエアー供給径路２４２を通じて所定量のエアーが供給されるようになっている。移送用エアリフト１７０は、吸入管１７１へ所定量のエアーが供給されると、そのエアリフトポンプ作用によって第２嫌気濾床槽１３０側の処理水を吸入管１７１から吸入し、吐出管１７２を通じて担体流動生物濾過槽１４０へ吐出する構成になっている。
【００１７】
本発明における処理槽としての担体流動生物濾過槽１４０には担体充填部１４２が形成されている。この担体充填部１４２が本発明における生物処理領域を構成する。担体充填部１４２には所定量の粒状担体Ｃ３が流動可能に充填されている。この粒状担体Ｃ３は、例えば粒状の中空円筒形に形成されている。この粒状担体Ｃ３には、処理水中の有機汚濁物質を好気処理（酸化）する好気性微生物が着床されている。処理水中の有機汚濁物質は、担体充填部１４２を図１中の矢印方向へ降流する際に、この担体充填部１４２中の好気性微生物によって好気処理される。なお、粒状担体Ｃ３は、その材質としては、例えばパーライト、シラスバルーン、発泡コンクリート、活性炭、多孔質セラミック、多孔質硝子等の無機担体、ポリエチレン、ポリプロピレン、ポリ塩化ビニル、ポリウレタン等の合成樹脂担体を広く用いることができる。
【００１８】
また、担体流動生物濾過槽１４０には、後述する通常運転時に使用される散気装置１８２、後述する逆洗運転時に使用される逆洗装置１８４が設けられている。逆洗装置１８４は槽底部に設けられ、散気装置１８２は逆洗装置１８４よりも上方に設けられている。これら散気装置１８２および逆洗装置１８４は、いずれも複数の開孔部を有し、この開孔部から槽内へエアーを供給する構成となっている。散気装置１８２は第１のエアー供給径路２４１に接続され、逆洗装置１８４は第３のエアー供給径路２４３に接続されている。
【００１９】
処理水槽１５０には、循環用エアリフト１９０が設けられている。この循環用エアリフト１９０は、通常運転時に処理水槽１５０の処理水の一部を処理水槽１５０よりも上流側の第１嫌気濾床槽１２０へ循環させるためのものである。この循環用エアリフト１９０は、垂直方向へ延びる吸入管１９１、この吸入管１９１の上部から第１嫌気濾床槽１２０の方向へ水平に延びる吐出管１９２、この吐出管１９２に設置された調整装置１９４等によって構成されている。吸入管１９１には、第１のエアー供給径路２４１を通じて所定量のエアーが供給されるようになっている。この循環用エアリフト１９０は、吸入管１９１へ所定量のエアーが供給されると、そのエアリフトポンプ作用によって処理水槽１５０の処理水を吸入管１９１から吸入し、吐出管１９２を通じて第１嫌気濾床槽１２０へ吐出する構成になっている。調整装置１９４は、担体流動生物濾過槽１４０に対応した位置に設けられ、処理水槽１５０から第１嫌気濾床槽１２０へ循環される循環水の一部を担体流動生物濾過槽１４０へ流すことでその循環量の調整を行うようになっている。
【００２０】
また、処理水槽１５０には、汚泥移送用エアリフト２００が設けられている。この汚泥移送用エアリフト２００は、逆洗運転時に担体流動生物濾過槽１４０の処理水を第１嫌気濾床槽１２０へ循環させるためのものである。この汚泥移送用エアリフト２００は、担体流動生物濾過槽１４０の槽底部から垂直方向へ延びる吸入管２０１、この吸入管２０１の上部から第１嫌気濾床槽１２０の方向へ水平に延びる吐出管２０２等によって構成されている。吸入管２０１には、第３のエアー供給径路２４３を通じて所定量のエアーが供給されるようになっている。この汚泥移送用エアリフト２００は、吸入管２０１へ所定量のエアーが供給されると、そのエアリフトポンプ作用によって担体流動生物濾過槽１４０の処理水を吸入管２０１から吸入し、吐出管２０２を通じて第１嫌気濾床槽１２０へ吐出する構成になっている。
【００２１】
消毒槽１６０には消毒剤注入装置１６２が設けられており、処理水槽１５０から流入した放流前の処理水を消毒処理するようになっている。
【００２２】
なお、本実施の形態の排水処理槽１００には、第１ブロワ２３１および第２ブロワ２３２が設置されている。第１ブロワ２３１は、例えば８０リットル／分の風量性能を有し、第２ブロワ２３２は、例えば４０リットル／分の風量性能を有する。これら第１ブロワ２３１および第２ブロワ２３２が、前記したような移送用エアリフト１７０、散気装置１８２、逆洗装置１８４、循環用エアリフト１９０、汚泥移送用エアリフト２００へエアーを供給する構成になっている。この構成を、図２を参照しながら説明する。
【００２３】
図２に示すように、第１ブロワ２３１は、そのエアー吐出側に電磁式の第１切換弁２３１ａを有する。この第１切換弁２３１ａは、第１ブロワ２３１から吐出されたエアーを、第１のエアー供給径路２４１と第３のエアー供給径路２４３のいずれかに送気するための切り換え機能を有する。第１ブロワ２３１が第１のエアー供給径路２４１の側へ接続されたとき、その吐出エアーは前記したように散気装置１８２および循環用エアリフト１９０へ供給される。一方、第１ブロワ２３１が第３のエアー供給径路２４３の側へ接続されたとき、その吐出エアーは前記したように逆洗装置１８４および汚泥移送用エアリフト２００へ供給される。この第１ブロワ２３１が本発明における第１のブロワ機構部を構成している。
【００２４】
第２ブロワ２３２は、そのエアー吐出側に電磁式の第２切換弁２３２ａを有する。この第２切換弁２３２ａは、第２ブロワ２３２から吐出されたエアーを、第２のエアー供給径路２４２と第３のエアー供給径路２４３のいずれかに送気するための切り換え機能を有する。第２ブロワ２３２が第２のエアー供給径路２４２の側へ接続されたとき、その吐出エアーは前記したように移送用エアリフト１７０へ供給される。一方、第２ブロワ２３２が第３のエアー供給径路２４３の側へ接続されたとき、その吐出エアーは前記したように逆洗装置１８４および汚泥移送用エアリフト２００へ供給される。この第２ブロワ２３２が本発明における第２のブロワ機構部を構成している。
なお、第１〜第３のエアー供給径路２４１〜２４３は、いずれも配管状に部材によって構成されている。
【００２５】
第１切換弁２３１ａおよび第２切換弁２３２ａよる切り換えは、制御部２３０によって制御される構成になっている。この制御部２３０が本発明における制御手段に対応しており、第１切換弁２３１ａおよび第２切換弁２３２ａが、本発明における切換手段に対応している。
制御部２３０は、例えばタイマー機構を内蔵しており、通常運転時および逆洗運転時に対応して所定時間毎に第１切換弁２３１ａおよび第２切換弁２３２ａへ制御信号を出力し、これら第１切換弁２３１ａおよび第２切換弁２３２ａの切り換え制御を行う。すなわち、本実施の形態では、１つの制御部２３０によって、２つの切換弁２３１ａ，２３２ａの切り換え制御を一括して行う構成になっている。
【００２６】
通常運転では、第１ブロワ２３１から例えば８０リットル／分の風量で吐出された吐出エアーは、第１切換弁２３１ａによって第１のエアー供給径路２４１へ送気される。一方、第２ブロワ２３２から例えば４０リットル／分の風量で吐出された吐出エアーは、第２切換弁２３２ａによって第２のエアー供給径路２４２へ送気される。すなわち、第１ブロワ２３１の吐出エアーと第２ブロワ２３２の吐出エアーは、各々独立したエアー供給径路によって散気装置１８２および循環用エアリフト１９０へ供給される。この通常運転が本発明における第１の運転モードに対応している。
【００２７】
このとき、担体流動生物濾過槽１４０には、散気装置１８２から散気エアーが供給され、図３に示すように、上部多孔部材１４０ａおよび下部多孔部材１４０ｂによって区画される担体充填部１４２に好気処理領域１４３（生物処理領域）および濾過処理領域１４４が形成される。好気処理領域１４３は、散気装置１８２よりも上層に形成され、濾過処理領域１４４は、散気装置１８２よりも下層に形成される。好気処理領域１４３では、エアーが付与された好気性微生物によって有機性汚濁物質の好気処理（酸化）が行われる。また、濾過処理領域１４４では、好気処理等によって生成したＳＳ（Suspended Solid）等の浮遊固形物が粒状担体Ｃ３によって捕捉される。また、このとき好気処理領域１４３の粒状担体Ｃ３は散気装置１８２から供給される散気エアーのエアー流れによって処理水とともに槽内を流動し、槽内における処理水の均一な処理に寄与する。
【００２８】
また、このとき、処理水槽１５０の処理水は、循環用エアリフト１９０によって循環水として第１嫌気濾床槽１２０へ戻される。このように、処理水槽１５０の処理水を担体流動生物濾過槽１４０よりも上流側へ循環させることにより、１パスで処理する場合に比して処理効率を向上させることができる。また、第１嫌気濾床槽１２０へ処理水を移送することで、処理水中の窒素化合物を窒素ガスに還元し、窒素ガスとして除去することができる。また、逆洗運転時に処理水槽１５０に残留したＳＳ等の浮遊固形物を、第１嫌気濾床槽１２０において回収することができる。なお、第１嫌気濾床槽１２０の代わりにあるいは第１嫌気濾床槽１２０の上流に、固液分離を行う夾雑物除去槽を設け、処理水槽１５０に残留したＳＳ等の浮遊固形物を夾雑物除去槽において回収するように構成することもできる。
【００２９】
逆洗運転では、第１ブロワ２３１および第２ブロワ２３２の吐出エアーは、第１切換弁２３１ａおよび第２切換弁２３２ａによっていずれも第３のエアー供給径路２４３へ送気される。このとき、第２ブロワ２３２の風量は４０リットル／分から８０リットル／分へ増加され、第１ブロワ２３１の吐出エアーと、第２ブロワ２３２の吐出エアーとが合流した計１６０リットル／分の風量のエアーが第３のエアー供給径路２４３へ送気される。なお、この第２ブロワ２３２の風量の変更は、例えば、制御部２３０が第２ブロワ２３２へ所定の制御信号を出力することで行われる。この逆洗運転が本発明における第２の運転モードに対応している。
【００３０】
このとき、担体流動生物濾過槽１４０には、逆洗装置１８４から逆洗エアーが供給され、図４に示すように、担体充填部１４２（好気処理領域１４３および濾過処理領域１４４）の粒状担体Ｃ３全体が処理水とともに槽内を流動する。これにより、粒状担体Ｃ３によって捕捉されたＳＳ等の浮遊固形物が剥離する。また、この逆洗運転では、前記したように汚泥移送用エアリフト２００が作動され、浮遊固形物を含有する処理水が逆洗水として第１嫌気濾床槽１２０へ移送される。これにより、担体流動生物濾過槽１４０内が洗浄され、粒状担体Ｃ３の閉塞が防止されることとなる。
なお、逆洗運転時に汚泥移送用エアリフト２００へ供給されるエアー供給量は、通常運転時に循環用エアリフト１９０へ供給されるエアー供給量よりも多くなるように設定される。これにより、循環水の移送量よりも逆洗水の移送量の方を多くすることができ、より短時間で担体流動生物濾過槽１４０の逆洗運転を行うことができる。
【００３１】
以上のように本実施の形態によれば、排水処理槽１００において、第１ブロワ２３１および第２ブロワ２３２の数を必要以上に増やしたり、それらの風量を必要以上に増やすことなく、必要最小限度のブロワを有効に使用して通常運転および逆洗運転を行うことができる。これにより、例えば図５に示す従来構成のエアー供給径路を用いる場合に比して、排水処理槽１００のイニシャルコストが増大するのを極力回避することができる。
【００３２】
〔他の実施の形態〕
なお、本発明は上記の実施の形態のみに限定されるものではなく、種々の応用や変形が考えられる。例えば、上記実施の形態を応用した次の各形態を実施することもできる。
【００３３】
（Ａ）上記実施の形態では、通常運転時および逆洗運転時に、第１ブロワ２３１および第２ブロワ２３２の２基のブロワを用い、第１〜第３のエアー供給径路２４１〜２４３を通じて排水処理槽１００へエアーを供給する場合について記載したが、少なくとも２基のブロワを用い、少なくとも３種類のエアー供給径路を通じて排水処理槽１００へエアーを供給する場合に本発明を適用することができる。
【００３４】
（Ｂ）また、上記実施の形態では、電磁式の第１切換弁２３１ａおよび第２切換弁２３２ａを用いる場合について記載したが、これら切換弁を例えばエアー駆動式とすることもできる。
【００３５】
（Ｃ）また、上記実施の形態では、排水処理槽１００における通常運転および逆洗運転に対応して第１切換弁２３１ａおよび第２切換弁２３２ａを切換制御する場合について記載したが、通常運転や逆洗運転以外の運転モードを有する排水処理装置に本発明を適用することもできる。
【００３６】
（Ｄ）また、上記実施の形態では、逆洗運転時に、第２ブロワ２３２の風量を４０リットル／分から８０リットル／分へ増加する場合について記載したが、第２ブロワ２３２の風量を変更しない運転も可能である。この場合、第１ブロワ２３１の吐出エアーと、第２ブロワ２３２の吐出エアーとが合流した計１２０リットル／分の風量のエアーが第３のエアー供給径路２４３へ送気される。
【００３７】
（Ｅ）また、上記実施の形態では、１つの制御部２３０によって２つの切換弁２３１ａ，２３２ａの切り換え制御を一括して行う構成としたが、各切換弁に対応した個別の制御部を設け、各切換弁の切り換え制御を各制御部によって各々行う構成とすることもできる。
【００３８】
【発明の効果】
以上説明したように、本発明によれば、排水を受入れて処理する排水処理装置において、複数のブロワ機構部から吐出されるエアーを処理槽へ合理的に供給するのに有効なエアー供給技術を実現することができる。
【図面の簡単な説明】
【図１】本発明の排水処理装置の一実施の形態である排水処理槽１００の構成を示す図である。
【図２】図１中の第１ブロワ２３１および第２ブロワ２３２から供給されるエアーの供給径路を示す図である。
【図３】担体流動生物濾過槽１４０の通常運転時の状態を示す図である。
【図４】担体流動生物濾過槽１４０の逆洗運転時の状態を示す図である。
【図５】従来構成のエアーの供給径路を示す図である。
【符号の説明】
１００…排水処理槽（排水処理装置）
１２０…第１嫌気濾床槽
１３０…第２嫌気濾床槽
１４０…担体流動生物濾過槽
１５０…処理水槽
１６０…消毒槽
１７０…移送用エアリフト
１８２…散気装置
１８４…逆洗装置
１９０…循環用エアリフト
２００…汚泥移送用エアリフト
２３０…制御部
２３１…第１のブロワ
２３１ａ…第１切換弁
２３２…第２のブロワ
２３２ａ…第２切換弁
２４１…第１のエアー供給径路
２４２…第２のエアー供給径路
２４３…第３のエアー供給径路
【図１】
0003977122.tif 000002
【図２】
0003977122.tif 000003
【図３】
0003977122.tif 000004
【図４】
0003977122.tif 000005
【図５】
0003977122.tif 000006